(57)【要約】　　　（修正有）【課題】音声信号を利用してハンドルを振動させることができ、さらに、ハンドルの振動を実現するための構成を簡素化するとともにコストを低減することができ、さらには、誤作動を防止することが可能な遊技機を提供する。【解決手段】握持部５４ｄの内部に設けられたピエゾスピーカ固定部材５４ｅにピエゾスピーカ５６を配設する。配線５６ｅを介して出力された音声信号によりピエゾスピーカ５６が駆動されると、振動板５６ｄの振動に共鳴して握持部５４ｄが振動する。【選択図】　図６
2004073275.tif 000002
【特許請求の範囲】
【請求項１】
複数の機能部品から構成される遊技球発射装置ユニットと、同遊技球発射装置ユニットによる遊技球の発射の強度を調整するためのハンドルと、音声信号を出力する音声制御手段とを有する遊技機において、
前記音声制御手段より送出された音声信号を音圧に変換して出力するピエゾスピーカを設け、
前記ハンドルに前記ピエゾスピーカを配設したことを特徴とする遊技機。
【発明の詳細な説明】
【０００１】
【発明の属する技術分野】
本発明は、遊技球の発射強度を調整するハンドルと遊技演出用の音声信号を入力可能なピエゾスピーカとを有する遊技機に関する。
【０００２】
【従来の技術】
従来、パチンコ遊技機等の遊技機においては、遊技機の前面側下方の所定位置に遊技球の発射強度を調整するためのハンドルが配設されている。このハンドルは、概ねハンドルを支持する筒状部と、筒状部の自由端側に設けられた略半球面形状を呈する握持部と、筒状部と握持部との間に設けられた強度調整部等とから構成されている。このハンドルは、強度調整部を回転させることにより遊技球の打球力が適宜調整される構造となっている。
【０００３】
また、パチンコ遊技機には、遊技に供される音声を出力するための音声再生手段として、いわゆるダイナミック型のスピーカ等が遊技機の前面側の所定位置、具体的には、上皿や下皿の配設されている部分の丁度内側付近に配設されている。
【０００４】
ところで、従来のパチンコ遊技機には、特開２００２−３５２５１等に開示されるように、ハンドルの内部にモータ等の所定の振動発生装置を設け、これを駆動してハンドルを振動させることにより、ハンドルを握持している遊技者に対する遊技演出に振動要素を付加するものが知られている。これに加えて、特開２００１−１２０７４２等に開示されるように、モータに低周波を入力してハンドルを遊技状況に従って振動させる装置を有するものも知られている。
また、これらの従来例の他に、特開平１０−１２７８６３等に開示されるように、ハンドルの内部に効果音発生用のスピーカを設け、これを駆動してハンドルから音声を出力させるものが知られている。
【０００５】
【発明が解決しようとする課題】
しかしながら、上述した従来の遊技機がハンドルを振動させるための振動発生装置を有する場合には、遊技状況に合わせて振動の強弱等の細密な調節ができない可能性がある。また、この振動発生装置が遊技状況に従って振動する機能を有する場合には、振動を遊技演出に同調させるための装置を新たに設けることが必要となり、結果的に装置の構成が複雑となりコストが増大する可能性がある。
【０００６】
また、ハンドルに配設したスピーカがダイナミック型のスピーカ等の場合には、スピーカ周辺に磁界が発生するので、基板等に誤作動を発生させる原因となる可能性がある。
【０００７】
そこで、本発明は、上記の課題に鑑みてなされたものであって、音声信号を利用してハンドルを振動させることができ、さらに、ハンドルの振動を実現するための構成を簡素化するとともにコストを低減することができ、さらには、誤作動を防止することが可能な遊技機を提供することを目的とする。
【０００８】
【課題を解決するための手段】
上記目的を達成するため、請求項１にかかる発明は、複数の機能部品から構成される遊技球発射装置ユニットと、同遊技球発射装置ユニットによる遊技球の発射の強度を調整するためのハンドルと、音声信号を出力する音声制御手段とを有する遊技機において、前記音声制御手段より送出された音声信号を音圧に変換して出力するピエゾスピーカを設け、前記ハンドルに前記ピエゾスピーカを配設した構成としてある。
上記のように構成した請求項１にかかる発明においては、ハンドルの内部にピエゾスピーカを配設する。遊技が開始されると、ハンドル内に設けられているピエゾスピーカに音声信号が入力されて電歪が起きて振動が発生する。すると、この振動に共鳴してハンドルの所定箇所が振動する。従って、遊技者が握持しているハンドルは、遊技演出の音声に合わせて振動する。また、このピエゾスピーカは、圧電式のスピーカであるので、磁界が発生しない構造となっている。
これにより、音声信号を利用してハンドルを振動させることができ、さらに、ハンドルの振動を実現するための構成を簡素化するとともにコストを低減することができ、さらには、遊技機の誤作動を防止することができる。
【０００９】
なお、本発明は、上記構成に限られるものではなく、以下の手段を含むものである。
手段１
前記ハンドルが、遊技機の前面側に配設された筒状部と、同筒状部の自由端側に設けられた内部が空洞状の略半球状を呈する握持部と、同握持部の内部に設けられた略円盤形状を呈するピエゾスピーカ固定部材と、同筒状部と握持部との間に設けられた略輪状形状を呈する強度調整部と、同強度調整部に設けられた調整軸とから形成され、かつ、前記ピエゾスピーカが、同握持部の内側に配設されていることを特徴とする請求項１に記載の遊技機。
ハンドルの有する握持部の内周側の所定位置に支持手段を用いてピエゾスピーカを配設する。具体的には、握持部の内部に支柱状の支持手段を設け、この支持手段に所定の固定具を用いてピエゾスピーカを螺着する。遊技が開始されると、ハンドル内に設けられているピエゾスピーカに音声信号が入力されて電歪が起きて振動が発生する。すると、この振動に共鳴してハンドルの所定箇所、具体的には、握持部が振動する。従って、遊技者が握持している握持部は、遊技演出の音声に合わせて振動する。
これにより、音声信号を利用してハンドルを振動させることができる。
【００１０】
手段２
前記ピエゾスピーカが、前記握持部の内周面から前記筒状部方向へ突出するように設けられた支持手段によって固定されていることを特徴とする手段１に記載の遊技機。
握持部の内周面に支持手段を設ける。具体的には、握持部の内周面から筒状部方向へ複数の支持手段を配設し、さらに、ピエゾスピーカを所定の固定具を用いて挟持するようにして支持手段に螺着する。遊技が開始されると、握持部内に設けられているピエゾスピーカに音声信号が入力されて電歪が起きて振動が発生する。すると、この振動に共鳴して握持部が振動する。従って、遊技者がハンドルを握持する際に触れる握持部は、遊技演出の音声に合わせて振動する。
これにより、音声信号を利用してハンドルを振動させることができる。
【００１１】
手段３
前記ピエゾスピーカが、前記筒状部から前記握持部方向へ突出するように設けられた支持手段により固定されていることを特徴とする手段１に記載の遊技機。ピエゾスピーカを握持部内に配置した状態で筒状部に設けられた支持手段により固定する。具体的には、筒状部から握持部方向へ複数の支持手段を配設し、この支持手段をピエゾスピーカに固定する。遊技が開始されると、握持部内に設けられているピエゾスピーカに音声信号が入力されて電歪が起きて振動が発生する。すると、この振動に共鳴して握持部が振動する。遊技者がハンドルを握持する際に触れる握持部は、遊技演出の音声に合わせて振動する。
これにより、音声信号を利用してハンドルを振動させることができる。
【００１２】
手段４
前記ピエゾスピーカが、前記強度調整部に設けられた支持手段に固定されていることを特徴とする手段１に記載の遊技機。
ピエゾスピーカを握持部内に設けた状態で強度調整部に設けられた支持手段を用いて固定する。具体的には、強度調整部の握持部側に複数の支持手段を配設し、さらに、ピエゾスピーカを所定の固定具を用いて挟持するようにして支持手段に螺着する。遊技が開始されると、握持部内に設けられているピエゾスピーカに音声信号が入力されて電歪が起きて振動が発生する。すると、この振動に共鳴して握持部が振動する。従って、遊技者がハンドルを握持する際に触れる握持部は、遊技演出の音声に合わせて振動する。
これにより、音声信号を利用してハンドルを振動させることができる。
【００１３】
手段５
前記支持手段が、前記ピエゾスピーカの外周付近を固定するように設けられていることを特徴とする手段２〜手段４のいずれかに記載の遊技機。
支持手段をピエゾスピーカの外周寄りに配設する。具体的には、複数の支持手段を握持部の外周寄りに配設し、その支持手段の自由端側にピエゾスピーカを固定する。ピエゾスピーカの中心部は固定されていないので、ピエゾスピーカの振動が減衰されにくい。従って、ピエゾスピーカから握持部への振動が効率よく行われる。
これにより、ピエゾスピーカの振動を効率よく握持部に伝達することができる。
【００１４】
手段６
前記支持手段が、前記ピエゾスピーカの中心付近を固定するように設けられていることを特徴とする手段２〜手段４のいずれかに記載の遊技機。
ピエゾスピーカの中心寄りに支持手段を配設する。具体的には、支持手段を握持部の内周側の最深部付近に固定し、支持手段の自由端側をピエゾスピーカの中央付近に配設する。このピエゾスピーカは、中心付近が固定されているので、ピエゾスピーカより発生される振動が直接支持手段に伝達されて握持部を振動させる。
これにより、ピエゾスピーカの振動を効率よく握持部に伝達させることができる。
【００１５】
手段７
前記支持手段の少なくとも一部が、弾性を有する部材にて形成されていることを特徴とする手段２〜手段６のいずれかに記載の遊技機。
支持手段の一部に弾性を有する部材を用いる。具体的には、支持手段の途中にゴム材等により形成された弾性を有する部材を介在させる。ピエゾスピーカを固定すると、少なからず振動が減衰される。そこで、支持手段に弾性を有する部材を使用することにより振動の減衰が低減される。
これにより、ピエゾスピーカの振動が減衰されることを低減することができ、握持部を効率よく振動させることができる。
【００１６】
手段８
前記握持部が、前記ピエゾスピーカ固定部材を介して前記筒状部に固定され、かつ、前記ピエゾスピーカが、同ピエゾスピーカ固定部材の同握持部側の面に配設されていることを特徴とする手段１に記載の遊技機。
握持部をピエゾスピーカ固定部材を介して筒状部に固定し、ピエゾスピーカをピエゾスピーカ固定部材の握持部側の面に配設する。具体的には、略円盤状を呈するピエゾスピーカ固定部材の一方の面に所定の固定具を用いてピエゾスピーカを設ける。そして、このピエゾスピーカ固定部材に設けられているピエゾスピーカが握持部の内側に向けられるようにして握持部の開口部付近に所定の固定具を用いて固定する。ここで、強度調整部を間に挟んだ状態で握持部を筒状部側から所定の固定具を用いて固定する。遊技が開始されると、ハンドル内に設けられているピエゾスピーカに音声信号が入力されて電歪が起きて振動が発生する。すると、この振動に共鳴して握持部が振動する。従って、遊技者が握持しているハンドルは、遊技演出の音声に合わせて振動する。
これにより、音声信号を利用してハンドルを振動させることができる。
【００１７】
手段９
前記ピエゾスピーカが、前記握持部の内周面に設けられた係止部材によって固定されていることを特徴とする手段１に記載の遊技機。
握持部の内周面の全周に渡って係止部材を設け、この係止部材にピエゾスピーカを配設する。具体的には、内周面に略コ字状の突起を全周に渡って設け、それにより形成された凹部にピエゾスピーカを嵌着させる。ここで、遊技が開始されると、ハンドル内に設けられているピエゾスピーカに音声信号が入力されて電歪が起きて振動が発生する。すると、この振動に共鳴して握持部が振動する。従って、遊技者がハンドルを握持する際に触れる握持部は、遊技演出の音声に合わせて振動する。つまり、ピエゾスピーカは、外周が固定され、振動を発生する中心付近は固定されていないので、振動が減衰されにくい。
これにより、ピエゾスピーカの振動が減衰されることを低減することができ、握持部を効率よく振動させることができる。
【００１８】
手段１０
前記係止部材の少なくとも一部が、弾性を有する部材にて形成されていることを特徴とする手段９に記載の遊技機。
握持部の開口部に近接する内周面に設けられた支持手段を所定の弾性を有する部材にて形成する。そして、この支持手段の内周の端部にピエゾスピーカを配設する。ここで、遊技が開始されると、ハンドル内に設けられているピエゾスピーカに音声信号が入力されて電歪が起きて振動が発生する。すると、この振動に共鳴して握持部が振動する。従って、遊技者がハンドルを握持する際に触れる握持部は、遊技演出の音声に合わせて振動する。つまり、ピエゾスピーカは、弾性を有する部材を介して固定されているので、握持部とは遊着された状態となる。従って、握持部が握持される等して保持される場合であっても、ピエゾスピーカの振動が減衰されることはほとんどない。
これにより、ピエゾスピーカの振動が減衰されることを低減することができ、握持部を効率よく振動させることができる。
【００１９】
手段１１
前記ピエゾスピーカには、同ピエゾスピーカから略垂直に立設された略柱状を呈する導振部材が設けられ、かつ、同導振部材の自由端側の端部が、前記握持部の内周面と接触するように設けられていることを特徴とする手段１〜手段１０のいずれかに記載の遊技機。
ピエゾスピーカから略垂直に立設した導振部材を設け、この導振部材の自由端側の端部を握持部の内周面と接触するように配設する。遊技が開始されると、ハンドル内に設けられているピエゾスピーカに音声信号が入力されて電歪が起きて振動が発生する。すると、この振動が導振部材を伝達して握持部が振動する。従って、遊技者がハンドルを握持する際に触れる握持部は、遊技演出の音声に合わせて振動する。また、導振部材が握持部と接触するように設けられることにより、握持部自体が振動手段となり、握持部の外部に遊技演出の音声を出力させることも可能となる。
これにより、ピエゾスピーカの振動を直接握持部に伝達させることができ、握持部を音声の発生源として利用することもできる。
【００２０】
手段１２
前記握持部の半球面を呈する部分の中辺部を所定の形状に開口することにより設けられた開口部の周縁の全周に渡って所定の弾性を有する部材を配設するとともに、同開口部を略遮蔽可能な形状を呈する遮蔽部材の外周の全周に渡って同弾性を有する部材の内周の端部が周着され、かつ、同遮蔽部材の同握持部側の面に固定された前記導振部材の自由端側の端部に前記ピエゾスピーカを接続し、さらに、同ピエゾスピーカが同握持部の内側に配設されていることを特徴とする手段１に記載の遊技機。
握持部の中辺部を所定の形状に開口する。この開口部の周縁に弾性を有する部材を配設する。さらに、この開口部を遮蔽可能な形状を呈する遮蔽部材の外周に緩衝材を周着させる。また、遮蔽部材から開口部を通過するように支持手段を設けて、その支持手段の自由端側の先端にピエゾスピーカを固定する。つまり、このピエゾスピーカは、握持部内に収納された状態で支持手段に固定されている。遊技が開始されると、握持部内に設けられているピエゾスピーカに音声信号が入力されて電歪が起きて振動が発生する。すると、この振動が導振部材を伝達して遮蔽部材を振動させる。従って、遊技者がハンドルを握持する際に触れる遮蔽部材は、遊技演出の音声に合わせて振動する。
これにより、ピエゾスピーカの振動を効率よく遮蔽部材に伝達させることができる。
【００２１】
手段１３
前記ピエゾスピーカが、前記握持部の内周面に沿った形状に形成され、かつ、同ピエゾスピーカの電歪発生箇所が同握持部の内周面と略接触するように設けられていることを特徴とする手段１〜手段１２のいずれかに記載の遊技機。
ピエゾスピーカを握持部の内周面に近接する位置に設ける。具体的には、ピエゾスピーカの有する出力部を略球面形状に形成されたものを用いて、この出力部を握持部の内周面と近接する位置となるように配設する。この時、ピエゾスピーカは、振動すると握持部の内周と接触するように設けられている。遊技が開始されると、音声信号が出力されてピエゾスピーカが振動する。すると、握持部の内周面にピエゾスピーカが微妙に接触することにより握持部が振動する。
これにより、ピエゾスピーカの振動を効率よく握持部に伝達させることができる。
【００２２】
手段１４
前記ピエゾスピーカの電歪発生面が、前記握持部の内周面側に向けられた状態で配設されていることを特徴とする手段１〜手段１３のいずれかに記載の遊技機。
ピエゾスピーカの有するピエゾ素子は、電圧がかけられることにより振動し、この振動が周辺の空気を振動させることで音声が生成される。そこで、ピエゾスピーカのピエゾ素子が設けられている面を握持部の内周面に向くように配設する。遊技が開始されると、音声信号出力されてピエゾスピーカが振動する。すると、この振動は、握持部内の空気を伝導して握持部に伝達されることにより握持部を振動させる。
これにより、ピエゾスピーカの振動を効率よく握持部に伝達させることができる。
【００２３】
手段１５
前記ピエゾスピーカが、同ピエゾスピーカの電歪箇所に略立設するように設けられた略柱状を呈する導振部材と、同導振部材の自由端側の端部に設けられた振動手段とを有することを特徴とする手段１〜手段１４のいずれかに記載の遊技機。
ピエゾスピーカが、電極層と圧電セラミックス層とを有しており、さらに圧電セラミックス層の上面に略柱状を呈する導振部材が立設され、導振部材の自由端側の端部には、略板状を呈する振動手段が配設されている。ピエゾスピーカに電圧が印加されると、電極と圧電セラミックス層との間に電歪が発生し、圧電エネルギーが生成される。この圧電エネルギーが導振部材に伝達されることにより導振部材の末端に設けられている振動手段が振動する。つまり、ピエゾスピーカが音声信号を利用して駆動される場合には、振動手段が音声を発生しているように聞こえる。
これにより、ハンドルを振動だけでなく音声を発生する音源としても利用することができる。
【００２４】
手段１６
前記握持部には、少なくとも１箇所に孔部が設けられていることを特徴とする手段１〜手段１５のいずれかに記載の遊技機。
半球面形状を呈する握持部の所定位置の少なくとも１箇所に孔部を設けると、握持部の内部空間と外部とが導通することとなる。すると、ピエゾスピーカから出力された音声は、孔部を介してハンドルの外部へ漏出する。
これにより、ハンドルの振動に加えて音声による遊技演出を行うことができる。
【００２５】
手段１７
前記ピエゾスピーカが、前記握持部の外周面側から所定の固定具を用いて同握持部の内部に配設されていることを特徴とする手段１〜手段１６のいずれかに記載の遊技機。
例えば、遊技球の発射強度を調整するための可変抵抗器が、筒状部と強度調整部の内部に設けられているような場合には、握持部の外周側から所定の固定具を穿設し、その固定具を用いてピエゾスピーカを握持部の内周側の最深部付近に配設する。
これにより、内部に可変抵抗器等の機能部品が配設されているハンドルであってもピエゾスピーカを配設することができる。
【００２６】
手段１８
前記ピエゾスピーカには、前記遊技機の遊技状況が所定の条件を満たす場合のみ音声信号が出力されることを特徴とする請求項１もしくは手段１〜手段１７のいずれかに記載の遊技機。
遊技機の遊技状態が所定の条件を満たす場合のみピエゾスピーカに対して音声信号を出力する。具体的には、リーチ発生予告を演出する場合や大当たりした場合を条件として設定した場合に、遊技状態がその条件となった時に音声制御手段に対して音声信号の出力指示がなされる。
これにより、遊技が白熱している時により迫力のある遊技演出を提供することができる。
【００２７】
手段１９
前記遊技機は、リーチ予告時又は特定のリーチ発生時又は大当たり当選時、あるいは、遊技状況にかかわらず遊技者に対して特定の情報を報知する場合に前記ピエゾスピーカに対して音声信号が出力されることを特徴とする手段１〜手段１８のいずれかに記載の遊技機。
具体的には、遊技演出を制御する制御手段において、リーチ予告時又は特定のリーチ発生時又は大当たり当選時等のフラグ発生と連動して音声信号がピエゾスピーカに出力されるように設定されている。また、ハンドルの振動を遊技とは全く関係のない目的に利用する。例えば、遊技機側が遊技者から不正行為を受けたことを認識したような場合には、ピエゾスピーカに音声信号を出力してハンドルを振動させてその遊技者に対して警告を行う等の用途に利用してもよい。
これにより、遊技が白熱している時により迫力のある遊技演出を提供することができ、さらに、遊技以外の情報を遊技者に対して報知することもできる。
【００２８】
【発明の効果】
以上説明したように本発明は、音声信号を利用してハンドルを振動させることができ、さらに、ハンドルの振動を実現するための構成を簡素化するとともにコストを低減することができ、さらには、遊技機の誤作動を防止することが可能な遊技機を提供することができる。
また、手段１にかかる発明によれば、音声信号を利用してハンドルを振動させることができる。
また、手段２にかかる発明によれば、音声信号を利用してハンドルを振動させることができる。
また、手段３にかかる発明によれば、音声信号を利用してハンドルを振動させることができる。
また、手段４にかかる発明によれば、音声信号を利用してハンドルを振動させることができる。
また、手段５にかかる発明によれば、ピエゾスピーカの振動を効率よく握持部に伝達することができる。
また、手段６にかかる発明によれば、ピエゾスピーカの振動を効率よく握持部に伝達させることができる。
また、手段７にかかる発明によれば、ピエゾスピーカの振動が減衰されることを低減することができ、握持部を効率よく振動させることができる。
また、手段８にかかる発明によれば、音声信号を利用してハンドルを振動させることができる。
また、手段９にかかる発明によれば、ピエゾスピーカの振動が減衰されることを低減することができ、握持部を効率よく振動させることができる。
また、手段１０にかかる発明によれば、ピエゾスピーカの振動が減衰されることを低減することができ、握持部を効率よく振動させることができる。
また、手段１１にかかる発明によれば、ピエゾスピーカの振動を直接握持部に伝達させることができ、握持部を音声の発生源として利用することもできる。
また、手段１２にかかる発明によれば、ピエゾスピーカの振動を効率よく遮蔽部材に伝達させることができる。
また、手段１３にかかる発明によれば、ピエゾスピーカの振動を効率よく握持部に伝達させることができる。
また、手段１４にかかる発明によれば、ピエゾスピーカの振動を効率よく握持部に伝達させることができる。
また、手段１５にかかる発明によれば、ハンドルを振動だけでなく音声を発生する音源としても利用することができる。
また、手段１６にかかる発明によれば、ハンドルの振動に加えて音声による遊技演出を行うことができる。
また、手段１７にかかる発明によれば、内部に可変抵抗器等の機能部品が配設されているハンドルであってもピエゾスピーカを配設することができる。
また、手段１８にかかる発明によれば、遊技が白熱している時により迫力のある遊技演出を提供することができる。
また、手段１９にかかる発明によれば、遊技が白熱している時により迫力のある遊技演出を提供することができ、さらに、遊技以外の情報を遊技者に対して報知することもできる。
【００２９】
【発明の実施の形態】
ここでは、下記の順序に従って本発明の実施形態を説明する。
（１）遊技機の概要：
（２）遊技機の説明：
（３）遊技機の変形例：
【００３０】
（１）遊技機の概要：
本発明に基づく遊技機をパチンコ遊技機Ａ１に応用した場合の実施の形態について図面を利用して説明する。
パチンコ遊技機Ａ１は、複数の機能部品により構成された各種装置を複数用いて互いに組み合わせ、さらに、これらを一体に形成することによりユニット体を構成している。さらに、これらユニット体を互いに組み合わせることによって、パチンコ遊技機Ａ１として機能するものである。すなわち、このユニット体とは、図１、図２に示すように、本体枠１０、遊技盤１２、機構板２０、前面ガラス扉枠３０、外枠４０等である。
【００３１】
また、各種装置とは、本体枠１０においては、上皿１４、下皿１６、また、本体枠１０の裏側に配設された常時出力用スピーカ１８（図４参照）、さらに、後述する遊技球発射装置ユニット５０の有するハンドル５４等が挙げられる。また、機構板２０においては、カバー部材２２ａ、主制御基板２２ｂ、景品球タンク２２ｃ、景品球排出装置２２ｄ、払出制御基板２２ｅ、電源操作部２２ｆ、電源基板２２ｇ、発射制御基板２２ｈ等が挙げられる。
【００３２】
なお、カバー部材２２ａ内に配設されている部材としては、音声制御基板２２ｉ、ランプ制御基板２２ｊや、制御情報表示装置２２ｋ、表示制御基板２２ｌ、図柄制御基板２２ｍ、図柄情報基板２２ｎ等が挙げられる。また、機構板２０の下方には、前述の遊技球発射装置ユニット５０の有する発射機構部材５２が配設されている。
【００３３】
なお、以下の説明において、前面又は前面側とは、図１に示すように、遊技領域１２ａが設けられている面、すなわち、遊技者が対面する面を示すものとし、背面又は背面側とは、図２に示すように、機構板２０が設けられている面を示すものとする。また、下方とは、特に説明する場合以外は、後述する底面部材４０ａの配設されている方向を示すものとし、上方とは、下方の反対、すなわち、後述する上面部材４０ｄの配設されている方向を示すものとする。
【００３４】
（２）遊技機の説明：
図１は、パチンコ遊技機Ａ１の前面側の構成を示す全体斜視図である。
同図において、パチンコ遊技機Ａ１は、本体枠１０と、前面ガラス扉枠３０と、外枠４０とをそれぞれ所定位置に設けて互いに組み合わせることにより形成されている。
ここで、パチンコ遊技機Ａ１の構成についてさらに詳細に説明する。本体枠１０は、図１、図２に示すように、合成樹脂製の部材により略枠状に形成されており、本体部１０ａと、取付部１０ｂとが一体に形成されている。この本体部１０ａは、パチンコ遊技機Ａ１の前面側に向けて配設されており、取付部１０ｂは、パチンコ遊技機Ａ１の背面側に向けて配設されている。また、この取付部１０ｂには、遊技盤１２が嵌着されるようにして設けられている。また、この本体枠１０の長手方向の一方の側面、具体的には、取付部１０ｂの側面には、金属製の係止部材１０ｃが設けられている。また、この本体枠１０には、所定の金属部材により形成された本体枠連結部材１１が設けられている。この本体枠連結部材１１は、本体枠１０を外枠４０に対して開閉自在に配設するために設けられている。また、本体枠１０の前面側の遊技盤１２の下方には、図１に示すように、上皿１４と、下皿１６とがそれぞれ配設されている。また、上皿１４と下皿１６との間には、図１に示すように、複数の孔部１８ａが設けられている。
【００３５】
この複数の孔部１８ａの裏側には、図４に示すように、常時出力用スピーカ１８が設けられている。すなわち、この孔部１８ａは、常時出力用スピーカ１８から出力される音声を遊技機の前面側に出力させるために設けられている。この常時出力用スピーカ１８には、例えば、ダイナミック型のスピーカが用いられている。
【００３６】
また、この遊技盤１２の前面側には、図１に示すように、遊技球を流下させる遊技領域１２ａが形成されている。この遊技領域１２ａには、遊技を演出する各種役物として特別図柄始動口１２ａ１や、風車１２ａ２や、後述する制御情報表示装置２２ｋの有する画像表示部２２ｋ１や、画像表示部２２ｋ１の周囲に設けられた画像表示部装飾部材１２ａ３や、画像表示部装飾部材１２ａ３内に配設された装飾用ランプ３４等が設けられている。
【００３７】
前面ガラス扉枠３０は、図１に示すように、本体枠１０の前面側の遊技盤１２を被覆可能な位置に配設されている。この前面ガラス扉枠３０の中辺部には、ガラス部３２が設けられている。また、このガラス部３２の外周には、装飾用ランプ３４が設けられている。この前面ガラス扉枠３０には、本体枠１０の有する本体枠連結部材１１の近傍に、所定の金属部材により形成された前面ガラス扉枠連結部材（図示省略）が設けられている。すなわち、この前面ガラス扉枠３０は、前面ガラス扉枠連結部材によって、本体枠１０に開閉自在に設けられている。
【００３８】
次に、図２は、パチンコ遊技機Ａ１の背面側の構成を示す全体斜視図である。同図において、本体枠１０の背面側、すなわち、遊技盤１２の遊技領域１２ａが設けられている面の反対側の面には、機構板２０が設けられている。この機構板２０は、合成樹脂製の部材により形成されている。また、この機構板２０は、本体枠１０の取付部１０ｂの側面に設けられた機構板連結部材２１により遊技盤１２に対して開閉自在に装着されている。
【００３９】
次に、外枠４０は、図２に示すように、略長方形状を呈する木質系の複数の板部材を互いに組み合わせることにより形成されている。すなわち、この外枠４０は、底面部材４０ａと、第１側面部材４０ｂと、第２側面部材４０ｃと、上面部材４０ｄとから形成されており、これらの端部同士を互いに連接することにより、パチンコ遊技機Ａ１の前面方向及び背面方向が開口した略枠状に形成されている。
【００４０】
また、第１側面部材４０ｂの上下端には、金属製の本体枠連結部材４２が設けられている。この連結部材４２は、第１側面部材４０ｂの上方端部に第１連結部材４２ａが配設され、下方端部に第２連結部材４２ｂがそれぞれ配設されている。この連結部材４２は、本体枠１０を被連結部１１を介して外枠４０に対して開閉自在に連結するために設けられている。また、本体枠１０の解放端側の取付部１０ｂの側面に設けられている係止部材１０ｃは、本体枠１０の前面側から背面側に渡って穿設されている。この係止部材１０ｃは、本体枠１０の外枠４０への固定と、前面ガラス扉枠３０の本体枠１０への固定とを同時に行うための係止手段として設けられている。また、底面部材４０ａの内周側の上面には、図２に示すように、第１支持部材４０ｅと、第２支持部材４０ｆとがそれぞれ配設されている。
【００４１】
また、機構板２０には、図２に示すように、複数の機能部品からなる各種装置が所定位置にそれぞれ配設されている。この各種装置としては、前述のように、カバー部材２２ａ、主制御基板２２ｂ、景品球タンク２２ｃ、景品球排出装置２２ｄ、払出制御基板２２ｅ、電源操作部２２ｆ、電源基板２２ｇ、発射制御基板２２ｈ等である。
【００４２】
図３は、パチンコ遊技機Ａ１の背面側の要部の構成を示す拡大斜視図である。同図において、第１支持部材４０ｅ及び第２支持部材４０ｆ上方の直近には、本体枠１０の前面側と背面側とに渡って遊技球発射装置ユニット５０が配設されている。この遊技球発射装置ユニット５０は、遊技球を遊技領域１２ａへ打ち出すために設けられており、複数の機能部品から構成される発射機構部材５２と、発射機構部材５２による遊技球の発射強度を調整するためのハンドル５４とを有している。
【００４３】
ここで、機構部材５２は、遊技球の発射を駆動するモータ５２ａと、遊技球を打ち出す打球槌５２ｂと、これらを一体的に保持するベース部材５２ｃとから形成されている。モータ５２ａは、ベース部材５２ｃに所定の間隔を余して設けられたモータ支持部５２ｄに固定されている。
【００４４】
図４は、パチンコ遊技機Ａ１の前面側の要部の構成を示す分解斜視図である。同図において、ハンドル５４は、下皿１６の側方の本体枠１０上に設けられた取付部１７を介してパチンコ遊技機Ａ１の背面側に設けられた発射機構部材５２の有する孔部５２ｅに挿設されている。すなわち、このハンドル５４は、後述する調整軸５４ｃを孔部５２ｅに挿入して、ワイヤ５２ｆを巻き取ることによりワイヤリング５２ｇを適宜回転させる。これにより、巻きバネ５２ｈの巻き数を変化させてワイヤリング５２ｇの復元力を増減させて遊技球の打球力を調整している。
【００４５】
図５は、パチンコ遊技機Ａ１の要部の構成を示す分解斜視図である。また、図６は、パチンコ遊技機Ａ１の要部の構成を示す図であって、Ｘ１矢視線（図４参照）より視認した矢視断面図である。
同図において、ハンドル５４は、合成樹脂にて形成された複数の機能部品を適宜組み合わせるようにして形成されている。すなわち、このハンドル５４は、概ね筒状部５４ａと、強度調整部５４ｂと、調整軸５４ｃと、握持部５４ｄと、ピエゾスピーカ固定部材５４ｅと、打球停止装置５４ｆと、ピエゾスピーカ５６とから形成されている。
【００４６】
筒状部５４ａは、ハンドル５４を取付部１７（図４参照）に接続するための部材である。図６に示すように、この筒状部５４ａは、両端が異なる経の略筒状を呈しており、形の小さい方の端部は、取付部１７に接続可能な形状となっている。すなわち、ハンドル５４は、筒状部５４ａの形の小さい方の端部を取付部１７に接続し、固定具Ｆで締め付けることで固定される。また、径の大きい方の端部は、強度調整部５４ｂと連接する面であるとともに孔部５４ａ３が形成されており、ピエゾスピーカ固定部材５４ｅが固定具Ｆにより固着されている。さらに、筒状部５４ａには、調整軸５４ｃを挿通するための挿通口５４ａ２が中心軸に沿って設けられている。
【００４７】
強度調整部５４ｂは、図５に示すように、略輪状形状を呈している。その中央部付近には、調整軸５４ｃを止着するための止着部５４ｂ１が設けられている。これにより、強度調整部５４ｂと調整軸５４ｃとは、一体に形成されている。また、この強度調整部５４ｂは、図６に示すように、調整軸５４ｃを筒状部５４ａの挿通口５４ａ２に挿通するとともに取付部１７に挿通することで筒状部５４ａに対して回転自在に設けられている。
【００４８】
握持部５４ｄは、図６に示すように、内部が空洞状を呈する略半球形状に形成されている。この握持部５４ｄは、遊技者がハンドル５４を握持する際に、手の平に当たる部分である。また、この握持部５４ｄの内部には、ピエゾスピーカ固定部材５４ｅを固定するための第１支持部材５４ｄ１（支持手段）が握持部５４ｄの外周寄りの略同一円周上の複数箇所に設けられている。
【００４９】
なお、この第１支持部材５４ｄ１は、後述するピエゾスピーカ５６の中心付近に設けられていてもよい。しかし、ピエゾスピーカ５６には、図６に示すように、中心付近に導振部材５６ｃ等が配設されているので、前述のごとく第１支持部材５４ｄ１を中心付近に配設することは物理的に困難である。しかし、後述するピエゾスピーカ５６の変形例において、図１３に示すように、第１支持部材５４ｄ１をピエゾスピーカ５６の中心付近に配設した場合と略同様の機能を果たすために、導振部材５５６ｃが握持部５５４ｄと接触するように配設されたものが示されているので、本実施例では、第１支持部材５４ｄ１がピエゾスピーカ５６の中心付近に設けられている場合の説明を省略することとする。
【００５０】
ピエゾスピーカ固定部材５４ｅは、図５に示すように、略円盤形状を呈している。このピエゾスピーカ固定部材５４ｅは、握持部５４ｄを筒状部５４ａに連結するために設けられている。すなわち、このピエゾスピーカ固定部材５４ｅを握持部５４ｄ内に配設する際に握持部５４ｄの側に向けられる面には、図５、図６に示すように、ピエゾスピーカ固定部材５４ｅを握持部５４ｄに固定するための所定の固定具Ｆを挿通するための孔部５４ｅ１がピエゾスピーカ固定部材５４ｅを穿通するように略同一円周上に複数設けられている。
【００５１】
また、このピエゾスピーカ固定部材５４ｅの握持部５４ｄに面する側の反対側には、ピエゾスピーカ固定部材５４ｅを筒状部５４ａに固定するための第２支持部材５４ｅ２が略同一円周上に複数設けられている。この第２支持部材５４ｅ２は、ピエゾスピーカ固定部材５４ｅから筒状部５４ａ方向に若干突出するように設けられている。
【００５２】
これに伴い、筒状部５４ａの長手方向の中辺付近の段差部分には、第２支持部材５４ｅ２に合わせて、固定具Ｆを挿通するための孔部５４ａ３が複数設けられている。つまり、固定具Ｆは、孔部５４ａ３に挿通されるとともに、第２支持部材５４ｅ２に螺着されることにより、筒状部５４ａとピエゾスピーカ固定部材５４ｅとを一体に固定している。また、第２支持部材５４ｅ２の配設されている面の反対側には、ピエゾスピーカ５６をピエゾスピーカ固定部材５４ｅに固定するための孔部５４ｅ３が第１支持部材５４ｅ１より内周の略同一円周上に複数設けられている。
【００５３】
なお、上述の第２支持部材５４ｅ２は、ゴム材等の所定の弾性を有する部材にて形成されていてもよい。具体的には、ゴム材等により形成された第２支持部材５４ｅ２をピエゾスピーカ固定部材５４ｅとは別体として配設する。従って、ピエゾスピーカ５６が駆動されて所定の振動が発生すると、ピエゾスピーカ５６が筒状部５４ａと一体に固定されている場合と比べて減衰されにくくなり、握持部５４ｄへの振動の伝達を効率的に行うことが可能となる。
【００５４】
また、このピエゾスピーカ固定部材５４ｅの握持部５４ｄ側には、所定の固定具Ｆを用いてピエゾスピーカ５６が配設されている。このピエゾスピーカ５６は、図５に示すように、電極層５６ａと、圧電セラミックス層５６ｂと、導振部材５６ｃと、振動板５６ｄと、配線５６ｅとから形成されている。
【００５５】
電極層５６ａは、所定の厚みを有する略円盤形状を呈しており、導電性を有する金属板等により形成されている。圧電セラミックス層５６ｂは、電極層５６ａの一方の面の中心付近に薄膜状に配設されている。なお、この圧電セラミックス層５６ｂには、例えば、チタン酸バリウムやチタン酸ジルコン酸鉛等の所定の電歪作用を有する圧電素子が用いられている。導振部材５６ｃは、略柱状を呈しており、圧電セラミックス層５６ｂ上に立設されている。また、振動板５６ｄは、略平板状部材により形成されており、導振部材５６ｃの自由端側に配設されている。
【００５６】
ここで、このピエゾスピーカ５６は、圧電セラミックス５６ｂの設けられている面が握持部５４ｄに向けられるようにして配設されている。つまり、このピエゾスピーカ５６は、電極層５６ａの外周付近の略同一円周上に設けられた複数の孔部５６ａ１と、孔部５６ａ１に合わせてピエゾスピーカ固定部材５４に設けられた孔部５４ｅ２に所定の固定具Ｆを挿通することによってピエゾスピーカ固定部材５４ｅに固定されている。
【００５７】
ピエゾスピーカ５６は、所定の音声信号を音声として出力する機能を有している。すなわち、このピエゾスピーカ５６は、電極板５６ａに電圧が印加されると、圧電セラミックス５６ｂが電歪して圧電エネルギーが発生する。この圧電エネルギーは、導振部材５６ｃを介して振動板５６ｄに伝達され、振動板５６ｄを振動させる。つまり、この振動板５６ｄが振動することによって、振動板５６ｄ周辺の空気が振動して、結果的に音声が生成されることとなる。
【００５８】
なお、この振動板５６ｄの機能に関連して、握持部５４ｄの形状の変形例について説明すると、ピエゾスピーカ５６が握持部５４ｄの内部に振動板５６ｄが設けられている場合には、図６に示すように、握持部５４ｄに複数の孔部Ｗが設けられていてもよい。この孔部Ｗは、上述した常時出力用スピーカ１８の前面に設けられた孔部１８ａと同様の機能を有しており、ピエゾスピーカ５６の有する振動板５６ｄより出力された音声を握持部５４ｄの外部に漏出させるために設けられている。
【００５９】
また、このピエゾスピーカ５６は、配線５６ｅを介してパチンコ遊技機Ａ１の背面側に設けられている音声制御基板２２ｉ（図２参照）（音声制御手段）等に接続されている。すなわち、ピエゾスピーカ５６は、音声制御基板２２ｉより出力された音声信号を電圧として利用することにより、所定の振動を出力させようとするものである。なお、本実施例では、ピエゾスピーカ５６に対して出力される音声信号を音声制御基板２２ｉより出力すると説明したが、主制御基板２２ｂ等から直接出力されるように設けられていてもよい。
【００６０】
ここで、ピエゾスピーカ５６の作用について説明する。
ピエゾスピーカ５６の電極板５６ａに電圧が印加されると、圧電セラミックス５６ｂが電歪して所定の圧電エネルギーが発生する。すると、この圧電エネルギーは、握持部５４ｄの内部の空気層を伝達して握持部を共鳴させたり、第１支持部材５４ｄ１を伝達して握持部５４ｂを直接振動させている。この際、振動は、音声信号に由来して生成されている。つまり、音声信号が入力されている間だけ振動し、音声信号が入力されていない間は振動しない。また、この振動は、音量が大きくなったり低音要素が強くなると振動も激しくなり、逆に音量が小さくなったり高音要素が強くなると微振動となる。
【００６１】
ここで、実際に握持部５４ｄを振動させる条件設定の一例について説明する。通常の遊技演出時には、常時出力用スピーカ１８のみから音声が出力されている。しかし、図柄が揃って大当たりしたり、停止図柄が２個揃って残り１個の図柄が変動中の状態、いわゆるリーチ発生状態の後スーパーリーチに発展するような場合には、握持部５４ｄが特別演出用の音声に合わせて振動する。すなわち、図柄抽選時に、大当たりの図柄を抽選したり、スーパーリーチの演出を抽選した場合には、特別演出用の音声信号が常時出力用スピーカ１８に出力されるとともにピエゾスピーカ５６にも出力されることにより、握持部５４ｄを振動させてハンドル５４を握持している遊技者に対して迫力のある遊技演出を行っている状態となる。
【００６２】
図７は、パチンコ遊技機Ａ１の要部の構成を示すブロック図である。
同図において、遊技が開始されると、主制御基板２２ｂより図柄制御基板２２ｍに対して制御信号が送出される。この制御信号を受信した図柄制御基板２２ｍは、図柄情報基板２２ｎを介して音声制御基板２２ｉに対して音声制御信号が送出される。音声制御基板２２ｉは、この音声制御信号に従って常時出力用スピーカ１８とピエゾスピーカ５６とに対して音声信号を出力する。すなわち、常時出力用スピーカ１８においては、遊技演出に合わせて音声が出力される。また、ピエゾスピーカ５６においては、遊技演出に合わせて握持部５４ｄを振動させたり音声を発生させるための圧電エネルギーが出力される。
【００６３】
なお、ピエゾスピーカ５６は、遊技演出が所定の遊技状況となった場合のみハンドル５４を振動させるように設定されている。つまり、ピエゾスピーカ５６に対しては、所定の遊技状況のフラグ発生と連動して音声信号が出力されるように設けられている。そこで、ピエゾスピーカ５６に音声信号を出力する場合の遊技演出の態様を具体例を引用して説明する。
【００６４】
図８は、パチンコ遊技機Ａ１の遊技演出にかかる制御の一例を示すフローチャートである。
同図において、まず、遊技が開始されて、遊技球が特別図柄始動口１２ａ１に入賞する（ステップＳ１０：ＹＥＳ）と、図柄抽選が開始される（ステップＳ１１）。ここで、大当たりを抽選した場合（ステップＳ１２：ＹＥＳ）には、大当たり演出パターンを抽選する。そこで、リーチ演出を抽選した場合（ステップＳ１３：ＹＥＳ）には、リーチパターンを選択する（ステップＳ１４）。抽選されたリーチパターンが、スーパーリーチ演出（いわゆるリーチが発展して大当たりし易い状態であることを遊技者に知らせる演出）である場合（ステップＳ１５：ＹＥＳ）には、音声制御基板２２ｉからピエゾスピーカ５６に対して音声信号が出力される（ステップＳ１６）。
【００６５】
そして、スーパーリーチ演出後、変動中の図柄が大当たり図柄で停止する（ステップＳ１７）と、再び音声制御基板２２ｉからピエゾスピーカ５６に対して音声信号が出力される（ステップＳ１６）。なお、上述のリーチ演出を抽選しなかった場合（ステップＳ１３：ＮＯ）や、スーパーリーチ演出を抽選しなかった場合（ステップＳ１５：ＮＯ）には、直接変動中の図柄が大当たり図柄で停止して、同様に、音声制御基板２２ｉからピエゾスピーカ５６に対して音声信号が出力される（ステップＳ１８）。
【００６６】
また、上述の図柄抽選（ステップＳ１１）において、はずれを抽選した場合（ステップＳ１２：ＮＯ）には、リーチ演出をするかどうかの抽選を行い、リーチ演出を抽選抽選した場合（ステップＳ１９：ＹＥＳ）には、リーチパターンを選択する（ステップＳ２０）。抽選されたリーチパターンが、スーパーリーチである場合（ステップＳ２１：ＹＥＳ）には、音声制御基板２２ｉからピエゾスピーカ５６に対して音声信号が出力され（ステップＳ２２）、その後、変動中の図柄がはずれ図柄で停止する（ステップＳ２３）。
【００６７】
なお、上述のリーチ演出の抽選（ステップＳ１９）において、リーチ演出が抽選されなかった場合（ステップＳ１９：ＮＯ）には、図柄の変動中であっても、はずれ図柄で停止（ステップＳ２３）した後であっても、ピエゾスピーカ５６に対する音声信号の出力は行われない。また、上述した制御のフローチャートにおいては、複数の場面でピエゾスピーカ５６に対して音声信号が出力されるが、遊技演出上、遊技の場面ごとに音声が変化するので、ハンドル５４の振動パターンもそれぞれ変化する。
【００６８】
なお、ハンドル５４に設けられているピエゾスピーカ５６は、ピエゾスピーカ固定部材５４ｅに配設されているが、握持部５４ｄを振動させることが可能であれば、これに限られることなく多様な配設方法で配設されていてもよい。また、本実施例では、握持部５４ｄの振動手段としてピエゾスピーカ５６が用いられているが、握持部５４ｄを振動させることが可能であれば、これに限られることなく別の種類のスピーカが用いられていてもよい。
【００６９】
そこで、以下、ピエゾスピーカ５６の配設方法の変形例について幾つか列挙することとする。なお、以下に記載の変形例においては、ピエゾスピーカ５６や、握持部５４ｄ等の形状の変形例等についても幾つか列挙することとする。
【００７０】
（３）遊技機の変形例：
次に、パチンコ遊技機Ａ１の第１の変形例としてのハンドル１５４について図面を利用して説明する。
図９は、パチンコ遊技機Ａ１の第１の変形例の要部の構成を示す断面図である。
同図において、ハンドル１５４は、上述のハンドル５４とは、内部構造に異なる箇所を有するのでそれについて説明する。
【００７１】
握持部１５４ｄの内部の外周寄りには、握持部１５４ｄを筒状部１５４ａへ固定するための第１支持部材１５４ｄ１が略同一円周上に複数設けられている。また、この第１支持部材１５４ｄ１よりも内周側の握持部１５４ｄの内周面には、ピエゾスピーカ固定部材１５４ｅを握持部１５４ｄへ固定するための第２支持部材１５４ｄ２が略同一円周上に複数設けられている。
【００７２】
これに伴い、ピエゾスピーカ固定部材１５４ｅの外周には、第２支持部材１５４ｄ２に合わせて孔部１５４ｅ３が複数設けられている。これにより、所定の固定具Ｆを孔部１５４ｅ３に挿通するとともに、第２支持部材１５４ｄ２に螺着することで、ピエゾスピーカ固定部材１５４ｅは、握持部１５４ｄに固定されている。
【００７３】
ここで、ピエゾスピーカ固定部材１５４ｅは、略円盤形状を呈している。このピエゾスピーカ固定部材１５４ｅは、第１支持部材１５４ｄ１を配設するために第１支持部材１５４ｄ１の内側に収まる程度の外形に形成されている。なお、このピエゾスピーカ固定部材１５４ｅの握持部１５４ｄに面する側には、ハンドル５４の場合と同様に、所定の固定具Ｆを用いてピエゾスピーカ１５６が配設されている。
【００７４】
次に、パチンコ遊技機Ａ１の第２の変形例としてのハンドル２５４について図面を利用して説明する。
図１０は、パチンコ遊技機Ａ１の第２の変形例の要部の構成を示す断面図である。
同図において、ハンドル２５４は、上述のハンドル５４、１５４とは、内部構造に異なる箇所を有するのでそれについて説明する。
【００７５】
ハンドル２５４の有する握持部２５４ｄの内部の外周寄りには、握持部２５４ｄを筒状部２５４ａへ固定するための第１支持部材２５４ｄ１が略同一円周上に複数設けられている。これに伴い、筒状部２５４ａの中辺部の段差部分の外周には、第１支持部材に合わせて孔部２５４ａ３が略同一円周上に複数設けられている。つまり、所定の固定具Ｆを孔部２５４ａ３に挿通するとともに、第１支持部材２５４ｄ１に螺着することにより、筒状部２５４ａと握持部２５４ｄとが、一体に固定されている。
【００７６】
また、孔部２５４ａ３の内周寄りの筒状部２５４ａの内部には、ピエゾスピーカ固定部材２５４ｅを固定するための第２支持部材２５４ａ４が略同一円周上に複数設けられている。これに伴い、ピエゾスピーカ固定部材２５４ｅには、第２支持部材２５４ａ４に合わせて孔部２５４ｅ３が略同一円周上に複数設けられている。
【００７７】
ここで、ピエゾスピーカ固定部材２５４ｅは、略円盤形状を呈している。このピエゾスピーカ固定部材２５４ｅは、第１支持部材２５４ｄ１を配設するために第１支持部材２５４ｄ１の内側に収まる程度の外形に形成されている。なお、このピエゾスピーカ固定部材２５４ｅの握持部２５４ｄに面する側には、ハンドル５４の場合と同様に、所定の固定具Ｆを用いてピエゾスピーカ２５６が配設されている。
【００７８】
次に、パチンコ遊技機Ａ１の第３の変形例としてのハンドル３５４について図面を利用して説明する。
図１１は、パチンコ遊技機Ａ１の第３の変形例の要部の構成を示す断面図である。
同図において、ハンドル３５４は、上述のハンドル５４、１５４、２５４、３５４とは、内部構造に異なる箇所を有するのでそれについて説明する。
【００７９】
握持部３５４ｄの内部の外周寄りには、握持部３５４ｄを筒状部３５４ａへ固定するための第１支持部材部３５４ｄ１が略同一円周上に複数設けられている。また、ピエゾスピーカ固定部材３５４ｅの筒状部３５４ａに面する側には、ピエゾスピーカ固定部材３５４ｅを強度調整部３５４ｂへ固定するための孔部３５４ｅ３が、略同一円周上に複数設けられている。これに伴い、強度調整部３５４ｂの握持部３５４ｄに面する側には、孔部３５４ｅ３に合わせて第２支持部材３５４ｂ１が略同一円周上に複数設けられている。これにより、ピエゾスピーカ固定部材３５４ｅは、強度調整部３５４ｂと一体に固定されている。
【００８０】
ここで、ピエゾスピーカ固定部材３５４ｅは、略円盤形状を呈している。このピエゾスピーカ固定部材３５４ｅは、第１支持部材３５４ｄ１を配設するために第１支持部材３５４ｄ１の内側に収まる程度の外形に形成されている。なお、このピエゾスピーカ固定部材３５４ｅの握持部３５４ｄに面する側には、ハンドル５４の場合と同様に、所定の固定具Ｆを用いてピエゾスピーカ３５６が配設されている。
【００８１】
次に、パチンコ遊技機Ａ１の第４の変形例としてのハンドル４５４について図面を利用して説明する。
図１２は、パチンコ遊技機Ａ１の第４の変形例の要部の構成を示す断面図である。
同図において、ハンドル４５４は、上述のハンドル５４、１５４、２５４、３５４とは、内部構造に異なる箇所を有するのでそれについて説明する。
【００８２】
ピエゾスピーカ固定部材４５４ｅは、略半球面形状に欠切された断面付近の内周径より一回り小さい外形を呈する略円盤形状に形成されている。また、握持部４５４ｄの略半球面形状に切欠された断面寄りの内周の全周には、断面視略コ字状を呈する係止部材４５４ｄ３が握持部４５４ｄと略一体に形成されている。この係止部材４５４ｄ３は、ピエゾスピーカ固定部材４５４ｅを握持部４５４ｄに固定するために設けられている。つまり、ピエゾスピーカ固定部材４５４ｅは、外周の全周を係止部材４５４ｄ３の凹状を呈する部分に係止させることで握持部４５４ｄに固定されている。
【００８３】
また、このピエゾスピーカ固定部材４５４ｅの筒状部４５４ａに面する側には、ピエゾスピーカ固定部材４５４ｅを筒状部４５４ａへ固定するための支持部材４５４ｅ２が略同一円周上に複数設けられている。これに伴い、筒状部４５４ａの長手方向の中辺付近の段差部分には、支持部材４５４ｅ２に合わせて、固定具Ｆを挿通するための孔部４５４ａ３が略同一円周上に複数設けられている。これにより、筒状部４５４ａとピエゾスピーカ固定部材４５４ｅとは、強度調整部４５４ｂを挟んで一体に固定されている。
【００８４】
なお、係止部材４５４ｄ３は、握持部４５４ｄと一体に形成されていると説明したが、握持部４５４ｄとは、所定の接着方法にて後付けされていてもよい。さらに、この係止部材４５４ｄ３が後付けされる場合には、係止部材４５４ｄ３自体が所定の弾性を有する部材にて形成されていてもよい。つまり、係止部材４５４ｄ３が弾性を有する部材によって形成されることで、ピエゾスピーカ固定部材４５４ｅに設けられているピエゾスピーカ４５６から出力される振動作用が、係止部材４５４ｄ３によって必要以上に減衰されることを防止することができる。
【００８５】
次に、パチンコ遊技機Ａ１の第５の変形例としてのハンドル５５４について図面を利用して説明する。
図１３は、パチンコ遊技機Ａ１の第５の変形例の要部の構成を示す断面図である。
同図において、ハンドル５５４においては、ピエゾスピーカ５５６の構成が上述のハンドル５４等に設けられているピエゾスピーカ５６とは異なるので、ピエゾスピーカ５５６の構成について説明する。
【００８６】
ピエゾスピーカ５５６は、電極層５５６ａと、圧電セラミックス層５５６ｂと、ピエゾスピーカ５６でいう導振部材５６ｃと略同様の形状を呈する導振部材５５６ｃとから形成されている。ここで、導振部材５５６ｃは、略柱状形状を呈しており、一方の端部が圧電セラミックス層５５６ｂの上面に立設するように配設されている。また、この導振部材５５６ｂの他方の端部は、握持部５５４ｄの内周側の最深部付近に設けられた固定部５５４ｄ４に嵌着されている。これにより、ピエゾスピーカ５５６と握持部５５４とは、導振部材５５６ｃによって連結された状態となる。つまり、ピエゾスピーカ５５６に音声信号が入力されて圧電エネルギーが発生すると、この圧電エネルギーが導振部材５５６ｃを伝達して握持部５５４ｄを上述の振動板５６ｄのごとく振動させる。この場合、握持部５５４ｄは、振動板５６ｄとして機能するので、振動するだけでなく遊技演出の音声の発生源ともなり得る。
【００８７】
次に、パチンコ遊技機Ａ１の第６の変形例としてのハンドル６５４について図面を利用して説明する。
図１４は、パチンコ遊技機Ａ１の第６の変形例の要部の構成を示す断面図である。
同図において、ハンドル６５４は、上述のハンドル５４、１５４、２５４、３５４等とは、握持部６５４ｄの外周の一部と内部構造に異なる箇所を有するのでそれについて説明する。
【００８８】
握持部６５４ｄは、内部が空洞状を呈する略半球面形状に形成されている。この握持部６５４ｄは、遊技者がハンドル６５４を握持する際に、手の平に当たる部分である。また、この握持部６５４ｄの内部には、握持部６５４ｄと筒状部６５４ａとを連結するための第１支持部材６５４ｄ１が略同一円周上に複数設けられている。ここで、このハンドル６５４内には、上述のピエゾスピーカ固定部材５６に該当する部材は設けられていない。つまり、筒状部６５４ａと握持部６５４ｄとを連結するための所定の固定具Ｆは、筒状部６５４ａに設けられている孔部６５４ａ３から挿通されて直接第１支持部材６５４ｄ１に螺着されている。
【００８９】
また、握持部６５４ｄの遊技者が握持する際に触れる位置付近には、略同一円周上に所定の固定具Ｆを挿通可能な孔部６５４ｄ５が複数設けられている。さらに、この孔部６５４ｄ５の設けられている箇所の内側には、内周面より若干突出した台座部６５４ｄ６が設けられている。ここで、ピエゾスピーカ６５６は、握持部６５４ｄの内周面に沿った形状を呈しており、孔部６５４ｄ５の配設箇所に合わせて孔部６５６ａ１が設けられている。すなわち、握持部６５４ｄの外周側から所定の固定具Ｆを孔部６５４ｄ５へ挿通するとともに孔部６５６ａ１に螺着することにより、握持部６５４の内周面にピエゾスピーカ６５６が固定されている。
【００９０】
この第６の変形例のパチンコ遊技機Ａ１においては、握持部６５４ｄの内部空間が広めに設けられているので、ハンドル６５４内に遊技球の打球強度を調整するための可変抵抗器等が設けられているような場合であってもピエゾスピーカ６５６を余裕を持ってハンドル６５４内に配設することが可能となる。
【００９１】
次に、パチンコ遊技機Ａ１の第７の変形例としてのハンドル７５４について図面を利用して説明する。
図１５は、パチンコ遊技機Ａ１の第７の変形例の要部の構成を示す断面図である。
【００９２】
同図において、握持部７５４ｄは、略半球面形状の中辺部が略円形状に切欠されて開口部７５４ｄ７が形成されている。この開口部７５４ｄ７の内周の全周には、略蛇腹状の所定の伸縮性を有する伸縮部材７５７が配設されている。また、握持部７５４ｄには、開口部７５４ｄ７と概ね同様の外形形状を呈する遮蔽部材７５８が、伸縮部材７５７を介して開口部７５４ｄ７に接続されている。この遮蔽部材７５８の内周側には、略筒状形状を呈する固定部７５８ａが設けられている。この固定部７５８ａは、後述する導振部材７５６ｃを遮蔽部材７５８に固定するために設けられている。
【００９３】
また、握持部７５４ｄには、開口部７５４ｄ７の反対側の切断面寄りの内周に第１支持部材７５４ｄ１が略同一円周上に複数設けられている。
これに伴い、ピエゾスピーカ固定部材７５４ｅには、第１支持部材７５４ｄ１と対応した位置に所定の固定具Ｆを挿通可能な孔部７５４ｅ１が略同一円周上に複数設けられている。つまり、ピエゾスピーカ固定部材７５４ｅは、固定具Ｆを孔部７５４ｅ１に挿通するとともに第１支持部材７５４ｄ１に螺着することにより、握持部７５４ｄに固定されている。
【００９４】
また、このピエゾスピーカ固定部材７５４ｅの握持部７５４ｄに面する側の反対側には、筒状部７５４ａと連結するための第２支持部材７５４ｅ２が略同一円周上に複数設けられている。また、筒状部７５４ａの段差部分には、第２支持部材７５４ｅ２と対応した位置に所定の固定具Ｆを挿通可能な孔部７５４ａ３が略同一円周上に複数設けられている。つまり、ピエゾスピーカ固定部材７５４ｅは、固定具Ｆを孔部７５４ａ３に挿通するとともに第２支持部材７５４ｅ２に螺着することにより筒状部７５４ａに固定されている。
【００９５】
また、ピエゾスピーカ固定部材７５４ｅの握持部７５４ｄに面する側には、所定の間隔を余してピエゾスピーカ７５６が設けられている。このピエゾスピーカ７５６は、電極層７５６ａと、圧電セラミックス層７５６ｂと、導振部材７５６ｃと、配線７５６ｅと、ベース部材７５６ｆとから形成されている。このベース部材７５６ｆは、電極層７５６ａの圧電セラミックス層７５６ｂの配設されている面の反対側に設けられている。すなわち、このベース部材７５６ｆは、電極層７５６ａに設けられた孔部７５６ａ１と、ベース部材７５６ｆに設けられた孔部７５６ｆ１とに所定の固定具Ｆを挿通することにより固定されている。
また、このベース部材７５６ｆとピエゾスピーカ固定部材７５４ｅとの間には、所定の弾性を有する弾性部材７５５が複数設けられている。この弾性部材７５５は、ピエゾスピーカ７５６を握持部７５４ｄ方向へ付勢するように設けられている。
【００９６】
また、導振部材７５６ｃの自由端は、上述のごとく遮蔽部材７５８の固定部７５８ａに嵌着されている。すなわち、このピエゾスピーカ７５６は、遮蔽部材７５８と一体に形成された状態となる。つまり、この遮蔽部材７５８は、上述の振動板５６ｄ等と同様の機能を有しており、ピエゾスピーカ７５６から圧電エネルギーが出力されると振動するように設けられている。
【図面の簡単な説明】
【図１】本発明にかかるパチンコ遊技機Ａ１の前面側の構成を示す全体斜視図である。
【図２】本発明にかかるパチンコ遊技機Ａ１の背面側の構成を示す全体斜視図である。
【図３】本発明にかかるパチンコ遊技機Ａ１の背面側の要部の構成を示す拡大斜視図である。
【図４】本発明にかかるパチンコ遊技機Ａ１の前面側の要部の構成を示す拡大斜視図である。
【図５】本発明にかかるパチンコ遊技機Ａ１の要部の構成を示す分解斜視図である。
【図６】本発明にかかるパチンコ遊技機Ａ１の要部の構成を示す図であって、Ｘ１矢視線（図４参照）より視認した矢視断面図である。
【図７】本発明にかかるパチンコ遊技機Ａ１の要部の構成を示すブロック図である。
【図８】本発明にかかるパチンコ遊技機Ａ１の遊技演出にかかる音声信号の制御の一例を示すフローチャートである。
【図９】本発明にかかるパチンコ遊技機Ａ１の第１の変形例の要部の構成を示す図であって、第１の変形例を図４に示すＸ１矢視線と同様の方向より視認した矢視断面図である。
【図１０】本発明にかかるパチンコ遊技機Ａ１の第２の変形例の要部の構成を示す図であって、第２の変形例を図４に示すＸ１矢視線と同様の方向より視認した矢視断面図である。
【図１１】本発明にかかるパチンコ遊技機Ａ１の第３の変形例の要部の構成を示す図であって、第３の変形例を図４に示すＸ１矢視線と同様の方向より視認した矢視断面図である。
【図１２】本発明にかかるパチンコ遊技機Ａ１の第４の変形例の要部の構成を示す図であって、第４の変形例を図４に示すＸ１矢視線と同様の方向より視認した矢視断面図である。
【図１３】本発明にかかるパチンコ遊技機Ａ１の第５の変形例の要部の構成を示す図であって、第５の変形例を図４に示すＸ１矢視線と同様の方向より視認した矢視断面図である。
【図１４】本発明にかかるパチンコ遊技機Ａ１の第６の変形例の要部の構成を示す図であって、第６の変形例を図４に示すＸ１矢視線と同様の方向より視認した矢視断面図である。
【図１５】本発明にかかるパチンコ遊技機Ａ１の第７の変形例の要部の構成を示す図であって、第７の変形例を図４に示すＸ１矢視線と同様の方向より視認した矢視断面図である。
【符号の説明】
Ａ１…パチンコ遊技機
２２ｉ…音声制御基板（音声制御手段）
５０…遊技球発射装置ユニット
５４…ハンドル
５６…ピエゾスピーカ
【図１】
2004073275.tif 000003
【図２】
2004073275.tif 000004
【図３】
2004073275.tif 000005
【図４】
2004073275.tif 000006
【図５】
2004073275.tif 000007
【図６】
2004073275.tif 000008
【図７】
2004073275.tif 000009
【図８】
2004073275.tif 000010
【図９】
2004073275.tif 000011
【図１０】
2004073275.tif 000012
【図１１】
2004073275.tif 000013
【図１２】
2004073275.tif 000014
【図１３】
2004073275.tif 000015
【図１４】
2004073275.tif 000016
【図１５】
2004073275.tif 000017